(57)【要約】【課題】人が記録部の動作音に気づくことを抑制した録画再生装置を提供する。【解決手段】センサーＳＮ１が人を検知していない場合、再エンコード部３０は再エンコード処理を行う。再エンコード処理では、再エンコード部３０が、当該再エンコード部３０により再エンコードが行われたストリームＸを、記録部５０を駆動させて、当該記録部５０に記録させる。記録部５０は、当該記録部５０が駆動する際に動作音を伴う。【選択図】図３
2018137508.tif 000002
【特許請求の範囲】
【請求項１】
ストリームが記録されている記録部と、
前記ストリームを再エンコードする機能を有する再エンコード部と、
人を検知する機能を有するセンサーとを備え、
前記記録部は、当該記録部が駆動する際に動作音を伴い、
前記センサーが人を検知していない場合、前記再エンコード部は再エンコード処理を行い、
前記再エンコード処理では、
（ａ１）前記再エンコード部が、前記記録部に記録されている前記ストリームに対し再エンコードを行い、
（ａ２）前記再エンコード部が、当該再エンコード部により前記再エンコードが行われた前記ストリームを、前記記録部を駆動させて、当該記録部に記録させる
録画再生装置。
【請求項２】
前記センサーは、前記録画再生装置の周辺に存在する人を検知する機能を有する
請求項１に記載の録画再生装置。
【請求項３】
録画再生装置であって、
ストリームが記録されている記録部と、
前記ストリームを再エンコードする機能を有する再エンコード部と、
前記録画再生装置の周辺の音を検知する機能を有するセンサーとを備え、
前記記録部は、当該記録部が駆動する際に動作音を伴い、
前記センサーが検知した音のレベルが、予め定められた閾値以上である場合、前記再エンコード部は再エンコード処理を行い、
前記再エンコード処理では、
（ｂ１）前記再エンコード部が、前記記録部に記録されている前記ストリームに対し再エンコードを行い、
（ｂ２）前記再エンコード部が、当該再エンコード部により前記再エンコードが行われた前記ストリームを、前記記録部を駆動させて、当該記録部に記録させる
録画再生装置。
【請求項４】
前記閾値が変更自在なように、前記録画再生装置は構成される
請求項３に記載の録画再生装置。
【発明の詳細な説明】
【技術分野】
【０００１】
本発明は、映像コンテンツの録画および再生を行うことが可能な録画再生装置に関する。
【背景技術】
【０００２】
デジタル放送におけるチャンネルの多数化、ネットワーク配信の普及等に伴い、映像コンテンツの録画および再生を行うことが可能な録画再生装置の記録装置の記録容量は大きくなってきている。当該記録装置は、例えば、ＨＤＤ（Hard Disk Drive）である。なお、記録装置の記録容量は有限であるため、低コスト化等の理由により、録画再生装置に、大容量の記録装置を搭載できない場合もある。
【０００３】
デジタル放送番組等の映像コンテンツを記録装置に記録する方式には、直接記録方式、再エンコード記録方式等がある。直接記録方式は、映像コンテンツのビットレート等の仕様を変更せずに、当該映像コンテンツを記録装置に直接記録する方式である。再エンコード記録方式は、映像コンテンツのビットレート、符号化方式等の仕様を変更して、当該映像コンテンツを記録装置に記録する方式である。
【０００４】
再エンコード記録方式は、映像コンテンツのビットレート、符号化方式等を変更するため、当該映像コンテンツの画質、音質等が劣化するが、容量が有限である記録装置を有効に活用できる。
【０００５】
特許文献１には、ユーザーが録画再生装置を使用していない時に、当該録画再生装置に直接記録された映像コンテンツに対し、自動的に、再エンコードを行う技術（以下、「関連技術Ａ」とも称する）が開示されている。ユーザーが録画再生装置を使用していない時は、例えば、録画再生装置の状態がスタンバイ状態である時、録画再生装置の電源オフ時、深夜などの時間帯等である。
【先行技術文献】
【特許文献】
【０００６】
【特許文献１】特開２０１１−０８２７７７号公報
【発明の概要】
【発明が解決しようとする課題】
【０００７】
録画再生装置に含まれる記録装置等の記録部に、映像コンテンツ等を含むストリームを記録させる処理を含む再エンコード処理が行われる場合、動作音が発生する。例えば、録画再生装置の周辺に人（ユーザー）が存在し、かつ、当該人が動画音に気づいた場合、当該人は当該動作音を不快に感じる。そこで、人が、記録部の動作音に気づくことを抑制することが要求される。関連技術Ａでは、この要求を満たすことができない。
【０００８】
本発明は、このような問題を解決するためになされたものであり、人が記録部の動作音に気づくことを抑制した録画再生装置を提供することを目的とする。
【課題を解決するための手段】
【０００９】
上記目的を達成するために、本発明の一態様に係る録画再生装置は、ストリームが記録されている記録部と、前記ストリームを再エンコードする機能を有する再エンコード部と、人を検知する機能を有するセンサーとを備え、前記記録部は、当該記録部が駆動する際に動作音を伴い、前記センサーが人を検知していない場合、前記再エンコード部は再エンコード処理を行い、前記再エンコード処理では、（ａ１）前記再エンコード部が、前記記録部に記録されている前記ストリームに対し再エンコードを行い、（ａ２）前記再エンコード部が、当該再エンコード部により前記再エンコードが行われた前記ストリームを、前記記録部を駆動させて、当該記録部に記録させる。
【発明の効果】
【００１０】
本発明によれば、前記センサーが人を検知していない場合、前記再エンコード部は再エンコード処理を行う。前記再エンコード処理では、前記再エンコード部が、前記再エンコード部により前記再エンコードが行われた前記ストリームを、前記記録部を駆動させて、当該記録部に記録させる。前記記録部は、当該記録部が駆動する際に動作音を伴う。
【００１１】
これにより、センサーが人を検知していない場合に、動作音を伴う再エンコード処理が行われる。そのため、人が記録部の動作音に気づくことを抑制することができる。
【図面の簡単な説明】
【００１２】
【図１】本発明の実施の形態１に係る録画再生装置の正面側を示す図である。
【図２】本発明の実施の形態１に係る、別の形態の録画再生装置の正面側を示す図である。
【図３】本発明の実施の形態１に係る録画再生装置の構成を示すブロック図である。
【図４】本発明の実施の形態１に係る再エンコード制御処理のフローチャートである。
【図５】本発明の実施の形態２に係る録画再生装置の正面側を示す図である。
【図６】本発明の実施の形態２に係る、別の形態の録画再生装置の正面側を示す図である。
【図７】本発明の実施の形態２に係る録画再生装置の構成を示すブロック図である。
【図８】本発明の実施の形態２に係る再エンコード制御処理Ａのフローチャートである。
【図９】録画再生装置の特徴的な機能構成を示すブロック図である。
【図１０】録画再生装置のハードウエア構成図である。
【発明を実施するための形態】
【００１３】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１４】
なお、実施の形態において例示される各構成要素の寸法、形状、当該各構成要素の相対配置などは、本発明が適用される装置の構成、各種条件等により適宜変更されてもよい。
【００１５】
＜実施の形態１＞
本実施の形態では、２種類の録画再生装置１００について説明する。以下においては、２種類の録画再生装置１００を、それぞれ、「録画再生装置１００ａ」および「録画再生装置１００ｂ」とも称する。図１は、本発明の実施の形態１に係る録画再生装置１００ａの正面側を示す図である。
【００１６】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１７】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１８】
図１を参照して、録画再生装置１００ａは、筐体Ｃｈ１と、記録部５０と、センサーＳＮ１とを備える。
【００１９】
筐体Ｃｈ１は、録画再生装置１００ａの各構成要素を収容する。筐体Ｃｈ１の形状は、例えば、直方体である。筐体Ｃｈ１の内部には、記録部５０が固定されている。すなわち、筐体Ｃｈ１は、記録部５０を収容する。つまり、記録部５０は、録画再生装置１００ａに内蔵されている。
【００２０】
記録部５０は、当該記録部５０が駆動する際に動作音を伴う装置である。すなわち、記録部５０は、当該記録部５０が駆動する際に動作音を発生させる。記録部５０は、例えば、ＨＤＤである。
【００２１】
筐体Ｃｈ１には、センサーＳＮ１が設けられる。具体的には、録画再生装置１００ａでは、センサーＳＮ１は、一例として、筐体Ｃｈ１の前面に設けられる。センサーＳＮ１の詳細については、後述する。
【００２２】
図２は、本発明の実施の形態１に係る録画再生装置１００ｂの正面側を示す図である。録画再生装置１００ｂは、表示部２０と、筐体Ｃｈ２と、記録部５０と、スタンド４とを備える。
【００２３】
表示部２０は、映像を表示するための表示デバイスである。表示部２０は、例えば、液晶ディスプレイである。記録部５０は、例えば、表示部２０の背面に取り付けられている。
【００２４】
筐体Ｃｈ２は、録画再生装置１００ｂの各構成要素を収容する。また、筐体Ｃｈ２は、表示部２０を保持する。また、筐体Ｃｈ２は、記録部５０を保持する。すなわち、記録部５０は、録画再生装置１００ｂに内蔵されている。また、筐体Ｃｈ２には、センサーＳＮ１が設けられる。具体的には、録画再生装置１００ｂでは、センサーＳＮ１は、一例として、筐体Ｃｈ２の前面に設けられる。
【００２５】
スタンド６は、筐体Ｃｈ２の下部に設けられる。スタンド６は、録画再生装置１００ｂを台等の上に設置するための部材である。
【００２６】
次に、録画再生装置１００が録画再生装置１００ｂである場合における、当該録画再生装置１００の構成について説明する。図３は、本発明の実施の形態１に係る録画再生装置１００の構成を示すブロック図である。
【００２７】
図３を参照して、録画再生装置１００は、制御バスＢＵ１、ストリーム入力部１１、ストリーム制御部１２、再エンコード部３０、記録部５０、メモリ１６、システム制御部１７、センサーＳＮ１および表示部２０を備える。
【００２８】
制御バスＢＵ１は、システム制御部１７が、録画再生装置１００に含まれる各構成要素と制御信号の通信を行うための信号線である。制御バスＢＵ１には、ストリーム制御部１２、再エンコード部３０、記録部５０、メモリ１６、システム制御部１７および表示部２０が接続されている。
【００２９】
ストリーム入力部１１は、外部装置（図示せず）から、ストリームＳｔを受信する機能を有する。ストリームＳｔは、例えば、符号化された映像および音声等を示すデータである。当該映像は、例えば、デジタル放送番組の映像である。ストリームＳｔは、例えば、ＭＰＥＧ（Moving Picture Experts Group）トランスポートストリームである。
【００３０】
ストリーム入力部１１は、外部装置（図示せず）に接続される。具体的には、ストリーム入力部１１は、例えば、入力端子を含む。入力端子には、外部装置（図示せず）が接続される。外部装置は、例えば、デジタル放送用のチューナー、ＬＡＮ端子に接続された通信装置、記録媒体読み込み部等である。
【００３１】
ストリーム制御部１２は、ストリーム入力部１１が受信したストリームＳｔ、記録部５０に記録されたストリームＳｔ（記録ストリーム）等を受信し、受信したストリームＳｔの出力先を切替える。以下においては、ストリームＳｔを、単に、「ストリーム」とも称する。
【００３２】
再エンコード部３０は、ストリームを再エンコードする機能を有する。再エンコード部３０は、後述の再エンコード処理を行う。再エンコード部３０は、デコード部３１と、エンコード部３２とを含む。デコード部３１およびエンコード部３２は、ハードウェアまたはソフトウェアで構成される。
【００３３】
詳細は後述するが、再エンコード処理では、デコード部３１が、ストリームをデコードし、映像および音声を取得する。そして、デコード部３１は、取得した映像および音声を、エンコード部３２へ送信する。
【００３４】
エンコード部３２は、映像および音声を再エンコードすることにより、所定の仕様のストリームを生成する。すなわち、ストリームの再エンコードが行われる。所定の仕様は、例えば、予め定められたビットレートである。また、所定の仕様は、例えば、予め定められた記録モードである。ストリームの再エンコードとは、デコード部３１がストリームをデコードすることにより取得された映像および音声を、エンコード部３２が、所定の仕様のストリームに変換することである。
【００３５】
記録部５０は、ストリームを記録する機能、ストリームを読み出す機能とを有する。
【００３６】
表示部２０は、ストリームのデコードにより得られた映像を表示する。なお、録画再生装置１００が録画再生装置１００ａである場合、当該録画再生装置１００は表示部２０を備えない。この場合、当該録画再生装置１００には、表示部２０が外付けされる。
【００３７】
システム制御部１７は、録画再生装置１００に含まれる各構成要素を制御する。メモリ１６には、録画再生装置１００の動作に必要なプログラム、設定データ等が格納されている。また、メモリ１６は、当該プログラムの実行のために必要な領域も含む。当該領域は、ＲＡＭ（Ｒａｎｄａｍ  Ａｃｃｅｓｓ  Ｍｅｍｏｒｙ）として使用される。
【００３８】
センサーＳＮ１は、人を検知する機能を有する人感センサーである。センサーＳＮ１は、録画再生装置１００の周辺に存在する人を検知する機能を有する。本明細書において、人は、ユーザーである。センサーＳＮ１は、例えば、赤外線、超音波等を利用した近接センサーである。
【００３９】
なお、センサーＳＮ１は、人を検知する機能を有するセンサーであれば、他の方式のセンサーであってもよい。センサーＳＮ１は、例えば、撮影する機能を有し、当該撮影により得られた画像に対し、人が存在するか否かを検知する画像処理を行うセンサーであってもよい。
【００４０】
センサーＳＮ１は、当該センサーＳＮ１の前方に、人がいるか否かを判定する。例えば、センサーＳＮ１は、録画再生装置１００の前方に、人がいるか否かを判定する。録画再生装置１００の前方とは、例えば、図１または図２の録画再生装置１００に示されるセンサーＳＮ１と対向する空間（以下、「センサー検知空間」とも称する）である。センサー検知空間は、録画再生装置１００の周辺に相当する。
【００４１】
センサー検知空間の形状は、例えば、円錐である。当該円錐の頂点は、センサーＳＮ１が存在する位置である。当該円錐の高さは、例えば、５メートルから２０メートルの範囲に含まれる長さである。当該円錐の底面である円の半径は、例えば、１メートルから１０メートルの範囲に含まれる長さである。なお、センサー検知空間の形状は、円錐に限定されず、例えば、球状であってもよい。
【００４２】
センサーＳＮ１は、所定時間の経過毎に、検知情報を、システム制御部１７へ送信する。所定時間は、例えば、１秒である。検知情報は、センサー検知空間に人が存在するか否かを示す情報である。センサー検知空間に人が存在する場合、検知情報は、センサー検知空間に人が存在する旨を示す。センサー検知空間に人が存在しない場合、検知情報は、センサー検知空間に人が存在しない旨を示す。以下においては、センサー検知空間に人が存在しない旨を示す検知情報を、「検知情報Ｎ」とも称する。
【００４３】
次に、録画再生装置１００が行う処理（以下、「再エンコード制御処理」と称する）について説明する。再エンコード制御処理は、ストリームに対し、再エンコード処理を行う必要がある場合に行われる。図４は、本発明の実施の形態１に係る再エンコード制御処理のフローチャートである。
【００４４】
ここで、以下の前提Ｐｍ１を考慮する。前提Ｐｍ１では、録画再生装置１００の記録部５０に、再エンコード処理を行う必要があるストリームが記録されている。また、前提Ｐｍ１では、前述したように、センサーＳＮ１は、所定時間の経過毎に、検知情報を、システム制御部１７へ送信する。前提Ｐｍ１における再エンコード制御処理では、まず、ステップＳ１０の処理が行われる。
【００４５】
ステップＳ１０では、システム制御部１７が、再エンコード部３０の状態が、待機状態であるか否かを判定する。例えば、デコード部３１およびエンコード部３２の両方が、デコードまたはエンコード等の処理を行っていない場合、再エンコード部３０の状態は、待機状態である。
【００４６】
なお、例えば、録画再生装置１００が、録画予約に従って、録画を行っている場合、再エンコード部３０の状態は稼動状態である。また、例えば、録画再生装置１００が映像コンテンツの再生を行うように、ユーザーが当該録画再生装置１００に対して操作を行っている場合、再エンコード部３０の状態は稼動状態になる。
【００４７】
ステップＳ１０においてＹＥＳならば処理は、ステップＳ２０へ移行する。一方、ステップＳ１０においてＮＯならば、再度、ステップＳ１０の処理が行われる。すなわち、再エンコード部３０の状態が待機状態でない場合、再エンコード部３０の状態が待機状態になるまで、処理はステップＳ２０へ移行しない。
【００４８】
ステップＳ２０では、センサーＳＮ１により、人が検知されていないか否かが判定される。具体的には、システム制御部１７が、センサーＳＮ１から、検知情報Ｎを受信したか否かを判定する。検知情報Ｎは、前述したように、センサー検知空間に人が存在しない旨を示す検知情報である。センサーＳＮ１が人を検知していない場合、すなわち、ステップＳ２０においてＹＥＳならば、処理はステップＳ３０へ移行する。一方、ステップＳ２０においてＮＯならば、再度、ステップＳ２０の処理が行われる。
【００４９】
ステップＳ３０では、再エンコード処理が行われる。再エンコード処理では、まず、再エンコード部３０が、記録部５０に記録されているストリームに対し再エンコードを行う。具体的には、以下の処理が行われる。
【００５０】
システム制御部１７は、ストリーム制御部１２が記録部５０からストリームを読み出すように、当該ストリーム制御部１２を制御する。これにより、ストリーム制御部１２は、記録部５０からストリームを読み出すことにより、当該ストリームを取得する。そして、ストリーム制御部１２は、ストリームを、デコード部３１へ送信する。
【００５１】
また、システム制御部１７は、デコード部３１およびエンコード部３２が、以下の処理を行うように、当該デコード部３１およびエンコード部３２を制御する。
【００５２】
デコード部３１は、システム制御部１７の制御に従って、ストリーム制御部１２から受信したストリームをデコードし、映像および音声を取得する。そして、デコード部３１は、取得した映像および音声を、エンコード部３２へ送信する。
【００５３】
エンコード部３２は、システム制御部１７の制御に従って、映像および音声を再エンコードすることにより、前述の所定の仕様のストリームを生成する。すなわち、再エンコード部３０（デコード部３１およびエンコード部３２）により、ストリームの再エンコードが行われる。以下においては、再エンコード部３０により再エンコードが行われたストリームを、「ストリームＸ」ともいう。
【００５４】
次に、再エンコード部３０が、ストリームＸを、記録部５０を駆動させて、当該記録部５０に記録させる。具体的には、エンコード部３２が、ストリームＸを、記録部５０を駆動させて、当該記録部５０に記録させる。なお、前述したように、記録部５０は、当該記録部５０が駆動する際に動作音を伴う。以上により、再エンコード処理は終了し、再エンコード制御処理も終了する。
【００５５】
以上の再エンコード制御処理では、ステップＳ２０でＹＥＳの場合、再エンコード処理が行われる。すなわち、センサーＳＮ１が人を検知していない場合、再エンコード部３０は再エンコード処理を行う。
【００５６】
以上説明したように、本実施の形態によれば、センサーＳＮ１が人を検知していない場合、再エンコード部３０は再エンコード処理を行う。再エンコード処理では、再エンコード部３０が、当該再エンコード部３０により再エンコードが行われたストリームＸを、記録部５０を駆動させて、当該記録部５０に記録させる。記録部５０は、当該記録部５０が駆動する際に動作音を伴う。
【００５７】
これにより、センサー（センサーＳＮ１）が人を検知していない場合に、動作音を伴う再エンコード処理が行われる。そのため、人が記録部の動作音に気づくことを抑制することができる。したがって、人が、記録部の動作音を不快に感じることを防ぐことができる。
【００５８】
また、本実施の形態によれば、録画再生装置１００の前方（センサー検知空間）に人が存在しない場合にのみ、記録部５０に記録されたストリームに対し、再エンコード処理が行われる。そのため、再エンコード処理が行われる際に発生する、記録部５０の動作音を人に聞かせることなく、再エンコード処理を実施することができる。
【００５９】
また、本実施の形態によれば、録画再生装置１００の周辺に人（ユーザ）が居ない期間に再エンコード処理を行う。当該期間は、例えば、人がテレビを視聴していない時間帯、深夜の時間帯等である。そのため、電力負荷がピークとなるタイミングを分散させることができる。
【００６０】
なお、記録装置であるハードディスクには、モーター、ヘッド等が内蔵されている。そのため、録画されたストリーム（コンテンツ）に対し、再エンコード処理が行われる際には、少なからず動作音が発生する。
【００６１】
例えば、ユーザーが録画再生装置を使用していない時間帯（例えば、深夜）に、自動的に再エンコード処理を実施する場合、ユーザーは、ハードディスクの動作音を不快に感じる場合がある。録画再生装置が設置されている場所の周囲の音が小さい場合、ユーザーは、当該動作音を、より不快に感じるという問題がある。
【００６２】
そこで、本実施の形態の録画再生装置１００は上記のような処理を行う。そのため、当該録画再生装置１００は、上記の問題を解決することができる。
【００６３】
＜実施の形態２＞
本実施の形態の構成は、録画再生装置の周辺の音を考慮した構成（以下、「構成ＣｔＡ」とも称する）である。以下においては、構成ＣｔＡが適用された録画再生装置を、「録画再生装置１００Ａ」とも称する。
【００６４】
本実施の形態では、２種類の録画再生装置１００Ａについて説明する。以下においては、２種類の録画再生装置１００Ａを、それぞれ、「録画再生装置１００Ａａ」および「録画再生装置１００Ａｂ」とも称する。
【００６５】
図５は、本発明の実施の形態２に係る録画再生装置１００Ａａの正面側を示す図である。図５を参照して、録画再生装置１００Ａａは、図１の録画再生装置１００ａと比較して、センサーＳＮ１の代わりにセンサーＳＮ２を備える点が異なる。録画再生装置１００Ａａのそれ以外の構成および機能は、録画再生装置１００ａと同様なので詳細な説明は繰り返さない。
【００６６】
筐体Ｃｈ１においてセンサーＳＮ２が設けられる位置は、図１の筐体Ｃｈ１においてセンサーＳＮ１が設けられる位置と同じである。すなわち、センサーＳＮ２は、一例として、筐体Ｃｈ１の前面に設けられる。センサーＳＮ２の詳細については、後述する。
【００６７】
図６は、本発明の実施の形態２に係る録画再生装置１００Ａｂの正面側を示す図である。図６を参照して、録画再生装置１００Ａｂは、図２の録画再生装置１００ｂと比較して、センサーＳＮ１の代わりにセンサーＳＮ２を備える点が異なる。録画再生装置１００Ａｂのそれ以外の構成および機能は、録画再生装置１００ｂと同様なので詳細な説明は繰り返さない。
【００６８】
筐体Ｃｈ２においてセンサーＳＮ２が設けられる位置は、図２の筐体Ｃｈ２においてセンサーＳＮ１が設けられる位置と同じである。すなわち、センサーＳＮ２は、一例として、筐体Ｃｈ２の前面に設けられる。
【００６９】
次に、録画再生装置１００Ａが録画再生装置１００Ａｂである場合における、当該録画再生装置１００Ａの構成について説明する。図７は、本発明の実施の形態２に係る録画再生装置１００Ａの構成を示すブロック図である。
【００７０】
図７を参照して、録画再生装置１００Ａは、図３の録画再生装置１００と比較して、センサーＳＮ１の代わりにセンサーＳＮ２を備える点が異なる。録画再生装置１００Ａのそれ以外の構成および機能は、録画再生装置１００と同様なので詳細な説明は繰り返さない。なお、録画再生装置１００Ａが録画再生装置１００Ａａである場合、当該録画再生装置１００Ａは表示部２０を備えない。この場合、当該録画再生装置１００Ａには、表示部２０が外付けされる。
【００７１】
センサーＳＮ２は、システム制御部１７と接続されている。センサーＳＮ２は、録画再生装置１００Ａの周辺の音を検知する機能を有する音センサーである。センサーＳＮ２は、例えば、マイクである。録画再生装置１００Ａの周辺とは、例えば、図５または図６の録画再生装置１００Ａに示されるセンサーＳＮ２を含む空間（以下、「センサー検知空間Ａ」とも称する）である。センサー検知空間Ａの形状は、例えば、球状である。球状のセンサー検知空間Ａの中心は、センサーＳＮ２が存在する位置である。球状のセンサー検知空間Ａの半径は、例えば、１センチから２メートルの範囲に含まれる長さである。なお、センサー検知空間Ａの形状は、球状に限定されず、例えば、他の形状であってもよい。
【００７２】
センサーＳＮ２は、所定時間の経過毎に、センサー検知空間Ａにおける音を検知する。所定時間は、例えば、１秒である。以下においては、センサーＳＮ２が検知した音を、「検知音」とも称する。また、センサーＳＮ２は、センサー検知空間Ａにおける音を検知する毎に、信号ＳｇＶを、システム制御部１７へ送信する。信号ＳｇＶは、最新の検知音を示す信号である。
【００７３】
次に、録画再生装置１００Ａが行う処理（以下、「再エンコード制御処理Ａ」と称する）について説明する。再エンコード制御処理Ａは、ストリームに対し、再エンコード処理を行う必要がある場合に行われる。図８は、本発明の実施の形態２に係る再エンコード制御処理Ａのフローチャートである。
【００７４】
図８において、図４のステップ番号と同じステップ番号の処理は、実施の形態１で説明した処理と同様な処理が行われるので詳細な説明は繰り返さない。以下、実施の形態１と異なる点を中心に説明する。
【００７５】
ここで、以下の前提Ｐｍ２を考慮する。前提Ｐｍ２では、録画再生装置１００Ａの記録部５０に、再エンコード処理を行う必要があるストリームが記録されている。また、前提Ｐｍ２では、センサーＳＮ２は、所定時間の経過毎に、前述の信号ＳｇＶをシステム制御部１７へ送信する。また、前提Ｐｍ２では、メモリ１６に、予め定められた閾値Ｔｈ１が記憶されている。
【００７６】
以下においては、記録部５０が駆動した際に、当該記録部５０が発生する動作音を、「動作音Ｖ」とも称する。閾値Ｔｈ１は、人が動作音Ｖにきづきにくい値に設定される。閾値Ｔｈ１は、例えば、動作音Ｖのレベルの１．０から１．２倍の範囲の値である。また、例えば、閾値Ｔｈ１は、６０ｄＢから７０ｄＢの範囲に含まれる値である。
【００７７】
前提Ｐｍ２における再エンコード制御処理Ａでは、まず、ステップＳ１０の処理が行われる。ステップＳ１０では、実施の形態１と同様な処理が行われる。ステップＳ１０においてＹＥＳならば処理は、ステップＳ２０Ａへ移行する。一方、ステップＳ１０においてＮＯならば、再度、ステップＳ１０の処理が行われる。
【００７８】
ステップＳ２０Ａでは、システム制御部１７が受信した最新の信号ＳｇＶが示す検知音のレベルが、閾値Ｔｈ１以上であるか否かが判定される。なお、前述したように、閾値Ｔｈ１は、人が動作音Ｖにきづきにくい値に設定されている。そのため、検知音のレベルが、閾値Ｔｈ１以上である場合、当該動作音Ｖは、録画再生装置１００Ａの周辺の音（検知音）に埋もれる。
【００７９】
ステップＳ２０ＡにおいてＹＥＳならば、処理はステップＳ３０へ移行する。一方、ステップＳ２０ＡにおいてＮＯならば、再度、ステップＳ２０の処理が行われる。
【００８０】
ステップＳ３０では、実施の形態１と同様に、再エンコード処理が行われる。再エンコード処理が終了することにより、再エンコード制御処理Ａも終了する。
【００８１】
以上の再エンコード制御処理Ａでは、ステップＳ２０ＡでＹＥＳの場合、再エンコード処理が行われる。すなわち、センサーＳＮ２が検知した音のレベルが、閾値Ｔｈ１以上である場合、再エンコード部３０は再エンコード処理を行う。
【００８２】
以上説明したように、本実施の形態によれば、記録部５０は、当該記録部５０が駆動する際に動作音を伴う。センサーＳＮ２が検知した音のレベルが、閾値Ｔｈ１以上である場合、再エンコード部３０は再エンコード処理を行う。再エンコード処理では、再エンコード部３０が、当該再エンコード部３０により再エンコードが行われたストリームを、記録部５０を駆動させて、当該記録部５０に記録させる。
【００８３】
これにより、センサー（センサーＳＮ２）が検知した音（動作音Ｖ）のレベルが、閾値Ｔｈ１以上である場合に、動作音を伴う再エンコード処理が行われる。すなわち、検知音のレベルが動作音Ｖのレベル以上である場合（人が動作音Ｖにきづきにくい場合）に、動作音を伴う再エンコード処理が行われる。そのため、人が記録部の動作音に気づくことを抑制することができる。したがって、人が、記録部の動作音を不快に感じることを抑制することができる。
【００８４】
なお、閾値Ｔｈ１が変更自在なように、録画再生装置１００Ａは構成されてもよい。例えば、操作メニュー等を利用して、ユーザーが、閾値Ｔｈ１を変更するための操作を、録画再生装置１００Ａに対し行うことにより、閾値Ｔｈ１が変更されてもよい。これにより、さらに利便性をよくすることができる。
【００８５】
（機能ブロック図）
図９は、録画再生装置ＢＬ１０の特徴的な機能構成を示すブロック図である。録画再生装置ＢＬ１０は、録画再生装置１００および録画再生装置１００Ａのいずれかに相当する。つまり、図９は、録画再生装置ＢＬ１０の有する機能のうち、本発明に関わる主要な機能を示すブロック図である。
【００８６】
録画再生装置ＢＬ１０は、機能的には、記録部ＢＬ１、再エンコード部ＢＬ２およびセンサーＢＬ３を備える。
【００８７】
記録部ＢＬ１には、ストリームが記録されている。記録部ＢＬ１は、当該記録部ＢＬ１が駆動する際に動作音を伴う。記録部ＢＬ１は、記録部５０に相当する。
【００８８】
再エンコード部ＢＬ２は、ストリームを再エンコードする機能を有する。再エンコード部ＢＬ２は、再エンコード部３０に相当する。センサーＢＬ３は、人を検知する機能を有する。センサーＢＬ３は、センサーＳＮ１に相当する。
【００８９】
センサーＢＬ３が人を検知していない場合、再エンコード部ＢＬ２は再エンコード処理を行う。再エンコード処理では、再エンコード部ＢＬ２が、記録部ＢＬ１に記録されているストリームに対し再エンコードを行う。また、再エンコード処理では、再エンコード部ＢＬ２が、当該再エンコード部ＢＬ２により再エンコードが行われたストリームを、記録部ＢＬ１を駆動させて、当該記録部ＢＬ１に記録させる。
【００９０】
（その他の変形例）
以上、本発明に係る移動局装置について、各実施の形態に基づいて説明したが、本発明は、当該各実施の形態に限定されるものではない。本発明の主旨を逸脱しない範囲内で、当業者が思いつく変形を各実施の形態に施したものも、本発明に含まれる。つまり、本発明は、その発明の範囲内において、各実施の形態を自由に組み合わせたり、各実施の形態を適宜、変形、省略することが可能である。
【００９１】
以下においては、本発明に係る録画再生装置を、「録画再生装置ｈｚｓ」とも称する。録画再生装置ｈｚｓは、録画再生装置１００および録画再生装置１００Ａのいずれかである。
【００９２】
録画再生装置ｈｚｓは、図で示される全ての構成要素を含まなくてもよい。すなわち、録画再生装置ｈｚｓは、本発明の効果を実現できる最小限の構成要素のみを含めばよい。
【００９３】
また、録画再生装置ｈｚｓに含まれる、再エンコード部３０の機能は、処理回路により実現されてもよい。当該処理回路は、前記センサーが人を検知していない場合、前記再エンコード部が、当該再エンコード部により前記再エンコードが行われた前記ストリームを、前記記録部を駆動させて、当該記録部に記録させるための回路である。
【００９４】
処理回路は、専用のハードウエアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【００９５】
以下においては、処理回路が専用のハードウエアである構成を、「構成Ｃｓ１」とも称する。また、以下においては、処理回路が、プロセッサである構成を、「構成Ｃｓ２」とも称する。
【００９６】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。
【００９７】
なお、録画再生装置ｈｚｓに含まれる各構成要素の全てまたは一部を、ハードウエアで示した構成は、例えば、以下のようになる。以下においては、録画再生装置ｈｚｓに含まれる各構成要素の全てまたは一部を、ハードウエアで示した録画再生装置を、「録画再生装置ｈｄ１０」とも称する。
【００９８】
図１０は、録画再生装置ｈｄ１０のハードウエア構成図である。図１０を参照して、録画再生装置ｈｄ１０は、プロセッサｈｄ１と、メモリｈｄ２とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、例えば、メモリｈｄ２は、磁気ディスク、フレキシブルディスク、光ディスク、コンパクトディスク、ミニディスク、ＤＶＤ等である。メモリｈｄ２は、今後使用されるあらゆる記憶媒体であってもよい。
【００９９】
構成Ｃｓ２では、処理回路は、プロセッサｈｄ１である。構成Ｃｓ２では、再エンコード部３０の機能は、ソフトウエア、ファームウエア、またはソフトウエアとファームウエアとの組み合わせにより実現される。ソフトウエアまたはファームウエアは、プログラムとして記述され、メモリｈｄ２に格納される。
【０１００】
また、構成Ｃｓ２では、処理回路（プロセッサｈｄ１）が、メモリｈｄ２に記憶されたプログラムを読み出して、当該プログラムを実行することにより、再エンコード部３０の機能は実現される。すなわち、メモリｈｄ２は、以下のプログラムを格納する。
【０１０１】
当該プログラムは、前記センサーが人を検知していない場合、前記再エンコード部が、当該再エンコード部により前記再エンコードが行われた前記ストリームを、前記記録部を駆動させて、当該記録部に記録させるステップを、処理回路（プロセッサｈｄ１）に実行させるためのプログラムである。
【０１０２】
また、当該プログラムは、再エンコード部３０が行う処理の手順、当該処理を実行する方法等をコンピュータに実行させるものでもある。
【０１０３】
以上の構成Ｃｓ１および構成Ｃｓ２のように、処理回路は、ハードウエア、ソフトウエア、ファームウエア等によって、上述の各機能を実現することができる。
【０１０４】
また、本発明は、録画再生装置ｈｚｓが備える特徴的な構成部の動作をステップとする再エンコード制御方法として実現してもよい。再エンコード制御方法は、図４の再エンコード制御処理、および、図８の再エンコード制御処理Ａのいずれかに相当する。
【０１０５】
また、本発明は、そのような再エンコード制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１０６】
上記実施の形態で用いた全ての数値は、本発明を具体的に説明するための一例の数値である。すなわち、本発明は、上記実施の形態で用いた各数値に制限されない。
【０１０７】
なお、本発明は、その発明の範囲内において、各実施の形態を自由に組み合わせたり、各実施の形態を適宜、変形、省略することが可能である。
【符号の説明】
【０１０８】
３０  再エンコード部、３１  デコード部、３２  エンコード部、５０  記録部、１００，１００Ａ，１００Ａａ，１００Ａｂ，１００ａ，１００ｂ，ＢＬ１０，ｈｄ１０，ｈｚｓ  録画再生装置、ＳＮ１，ＳＮ２  センサー。
【図１】
2018137508.tif 000003
【図２】
2018137508.tif 000004
【図３】
2018137508.tif 000005
【図４】
2018137508.tif 000006
【図５】
2018137508.tif 000007
【図６】
2018137508.tif 000008
【図７】
2018137508.tif 000009
【図８】
2018137508.tif 000010
【図９】
2018137508.tif 000011
【図１０】
2018137508.tif 000012